(57)【要約】【課題】グローブの外表面の光沢性を損なわずに、透光性樹脂部材を複数結合して発光管を包被するグローブを構成させることができる電球形蛍光ランプを提供すること。【解決手段】一端側に口金２が取着されたカバー３と；少なくとも２以上に分割されたグローブ片６Ｘ１，６Ｘ２が結合してなり、その頂部に向かう中間が径大に形成されていると共に、一端に位置する開口がカバー３により閉口されて内部に収容空間を生じさせる透光性樹脂製のグローブ６と；カバー３の他端側から延在するようにカバーに固定されて透光性のグローブ６内に収容され、かつ、少なくとも頂部に向かう中間が径大に形成された透光性グローブ６の内面に沿うように屈曲成形されている発光管４と；透光性のグローブ３の外面に塗布された光沢性の樹脂膜と；を備えていることを特徴とする。【選択図】  図１
2008091130.tif 000002
【特許請求の範囲】
【請求項１】
一端側に口金が取着されたカバーと；
少なくとも２以上に分割されたグローブ片が結合してなり、その頂部に向かう中間が径大に形成されていると共に、一端に位置する開口がカバーにより閉口されて内部に収容空間を生じさせる透光性樹脂製のグローブと；
カバーの他端側から延在するようにカバーに固定されて透光性のグローブ内に収容され、かつ、少なくとも頂部に向かう中間が径大に形成された透光性グローブの内面に沿うように屈曲成形されている発光管と； 
透光性のグローブの外面に塗布された光沢性の樹脂膜と；
を備えていることを特徴とする電球形蛍光ランプ。
【請求項２】
一端側に口金が取着されたカバーと；
少なくとも２以上に分割されたグローブ片が結合してなり、その頂部に向かう中間が径大に形成されていると共に、一端に位置する開口がカバーにより閉口されて内部に収容空間を生じさせる透光性樹脂製のグローブと；
カバーの他端側から延在するようにカバーに固定されて透光性のグローブ内に収容され、かつ、少なくとも頂部に向かう中間が径大に形成された透光性グローブの内面に沿いながら螺旋状に屈曲成形されている発光管と； 
グローブの樹脂表面を溶融する有機溶剤に希釈されて透光性のグローブの外面に塗布される光沢性の樹脂膜と；
を備えていることを特徴とする電球形蛍光ランプ。
【請求項３】
請求項１又は２記載の電球形蛍光ランプと；
電球形蛍光ランプが取り付けられる器具本体と；
を具備していることを特徴する照明装置。
【発明の詳細な説明】
【技術分野】
【０００１】
本発明は、電球形蛍光ランプおよびこの電球形蛍光ランプを具備した照明装置に関する。
【背景技術】
【０００２】
従来、この種の電球形蛍光ランプは、ＪＩＳに規格化されている一般照明用白熱電球に近い寸法に小形化されており、一般照明用電球に近似した外観を有したものが商品化されている。
【０００３】
特に、バルブ頂部に向かう中間が径大となっている例えばＰＳ形バルブを用いた白熱電球は、広く普及しているため、このような白熱電球の外観に極めて近似させて互換性を十分に満足させた電球形蛍光ランプが本件出願人により開発されるに至っている。
【０００４】
この種の電球形蛍光ランプは、屈曲形のバルブを有する発光管、カバー本体の一端に口金を取り付け他端側で発光管を支持するカバー、このカバー内に収容される点灯装置、発光管を包被してカバーの他端側に取り付けられるグローブ等を具備している（例えば、特許文献１、２参照）。
【０００５】
そして、近年では、明るさを増加させるために、例えば螺旋形に形成した発光管を、一般白熱電球のバルブ外観形状内側の狭隘な空間内に全体としてそのバルブ外観形状に沿うように中間部の螺旋径が径大に形成することにより、発光管の放電路長の増大を図ったものが提案されている（例えば、特許文献３参照）。
【特許文献１】特開２０００−２１３５１号公報
【特許文献２】特開２００３−２６３９７２号公報
【特許文献３】特開２００３−３１１７９号公報
【発明の開示】
【発明が解決しようとする課題】
【０００６】
しかしながら、発光管の放電路長を増大させるために、発光管中間部を径大に形成すると、その発光管をグローブに挿入できなくなる。
【０００７】
すなわち、一般照明用白熱電球のガラスバルブは、口金とは反対側の頂部に向かう中間が太径で、口金近傍のネック部付近が相対的に細径となっているため、電球形蛍光ランプにおいてグローブの内形に沿うように形成された発光管は、グローブのネック部の内寸法よりも中間部に相当する発光管の外輪郭の最大径が大きいためである。
【０００８】
そこで、このようなものの場合は、発光管を包被するグローブを、例えばその径大部を含む分割線で縦方向に２分割するなど、複数に分割したグローブ片により発光管を包被したのち、それらグローブ片を結合させることが試みられている。
【０００９】
なお、グローブを複数に分割するものにあっては、破損し易いガラスの代わりに、ポリカーボネート（ＰＣ）、ポリエチレンテレフタレート（ＰＥＴ）やフッ素樹脂などの耐熱性や透光性を有する樹脂が用いられる。
【００１０】
また、分割したグローブ片を接合させるために、組み上げたグローブ全体の外面に熱収縮性の袋状フィルムを被せ、そのフィルムを熱収縮させることが考えられている。
【００１１】
しかしながら、樹脂材によるグローブでは、白熱電球のグローブ表面のようなガラス光沢が得られず、また、グローブ片の接合箇所が目立ち易いものであった。
【００１２】
本発明はこのような事情を考慮してなされたもので、グローブの外表面の光沢性を損なわずに、透光性樹脂部材を複数結合して発光管を包被するグローブを構成させることができる電球形蛍光ランプを提供することを目的とする。
【課題を解決するための手段】
【００１３】
請求項１記載の電球形蛍光ランプは、一端側に口金が取着されたカバーと；少なくとも２以上に分割されたグローブ片が結合してなり、その頂部に向かう中間が径大に形成されていると共に、一端に位置する開口がカバーにより閉口されて内部に収容空間を生じさせる透光性樹脂製のグローブと；カバーの他端側から延在するようにカバーに固定されて透光性のグローブ内に収容され、かつ、少なくとも頂部に向かう中間が径大に形成された透光性グローブの内面に沿うように屈曲成形されている発光管と；透光性のグローブの外面に塗布された光沢性の樹脂膜と；を備えていることを特徴とする。  請求項２の電球形蛍光ランプは、一端側に口金が取着されたカバーと；少なくとも２以上に分割されたグローブ片が結合してなり、その頂部に向かう中間が径大に形成されていると共に、一端に位置する開口がカバーにより閉口されて内部に収容空間を生じさせる透光性樹脂製のグローブと；カバーの他端側から延在するようにカバーに固定されて透光性のグローブ内に収容され、かつ、少なくとも頂部に向かう中間が径大に形成された透光性グローブの内面に沿いながら螺旋状に屈曲成形されている発光管と；グローブの樹脂表面を溶融する有機溶剤に
希釈されて透光性のグローブの外面に塗布される光沢性の樹脂膜と；を備えていることを特徴とする。
【００１４】
請求項３の照明装置は、請求項１又は２記載の電球形蛍光ランプと；電球形蛍光ランプが取り付けられる器具本体と；を具備していることを特徴する。
【発明の効果】
【００１５】
請求項１記載の電球形蛍光ランプによれば、放電路長を伸長させるために、発光管をグローブの内面に沿うように屈曲成形したものであっても、樹脂製グローブを少なくとも２以上に分割しているため、グローブ片により発光管を包被したのち、それらグローブ片を結合して発光管を外被することが可能となる。さらには、グローブの外面には、光沢性の樹脂膜が塗布されているため、ガラスバルブが用いられている白熱電球と同様に、そのグローブの外面には光沢が得られる電球形蛍光ランプを提供できる。
【００１６】
請求項２記載の電球形蛍光ランプによれば、放電路長を伸長させるために、発光管をグローブの内面に沿いながら螺旋状に屈曲成形されているものであっても、樹脂製グローブを少なくとも２以上に分割しているため、グローブ片により発光管を包被したのち、それらグローブ片を結合して発光管を外被することが可能となる。さらには、グローブの外面には、その樹脂表面を溶融する有機溶剤に希釈された光沢性の樹脂膜が塗布されているため、ガラスバルブが用いられている白熱電球と同様に、グローブの外面には光沢が得られると共に、有機溶剤により、グローブ片が結合する合わせ面同士が溶融することにより、その結合強度の向上が期待できる電球形蛍光ランプを提供できる。
【００１７】
請求項３記載の照明装置によれば、請求項１又は２記載の電球形蛍光ランプを備えているため、上記記載の発明の作用効果が奏される照明装置が提供できる。
【発明を実施するための最良の形態】
【００１８】
以下、本発明の実施形態を添付図面に基づいて説明する。なお、複数の添付図面中、同一または相当部分には、同一符号を付している。
【００１９】
図１は本発明の第１の実施形態に係る電球形蛍光ランプの一部を縦断面で示す正面図、図２は図１で示す発光管の正面図、図３は同発光管の平面図である。
【００２０】
図１に示すように電球形蛍光ランプ１は、その高さ方向（管軸方向）の一端（図１では下端）に口金２を取着するカバー３、このカバー３の他端（図１では上端）側に配設された発光管４、この発光管４の一端側を支持し、カバー３と一体的又は分離可能に成形されたホルダ作用部５、発光管４を覆うとともに一端側でホルダ作用部５の周囲も覆ってカバー３と接合したグローブ６、口金２およびカバー３の内側に収納された点灯装置７を備えている。そして、定格電力が例えば４０Ｗタイプ、６０Ｗタイプ、１００Ｗタイプの白熱電球などのＪＩＳ  Ｃ  ７５０１に規格化された一般照明用電球に近い寸法と外観に形成されている。
【００２１】
口金２は、エジソンタイプのＥ２６形などで、ねじ山を備えた筒状のシェル２ａ、このシェル２ａの一端側の頂部に絶縁部２ｂを介して設けられたアイレット２ｃを備えている。
【００２２】
シェル２ａは、その他端側をカバー３の一端部に被せて接着剤またはかしめなどにより固定されている。
【００２３】
カバー３は、例えばポリブチレンテレフタレート（ＰＢＴ）などの耐熱性合成樹脂により図１中下方に向けて漸次縮径する逆円錐台状部と円筒状部を一体に連成したカバー本体３ａを有し、このカバー本体３ａの一端（図１中下端）側には口金２のシェル２ａが取り付けられ、カバー本体３ａの他端側（図１中上端側）には、取付端部である環状の開口取付端部３ｂが形成されている。
【００２４】
この取付端部３ｂ内には、カバー本体３ａの円錐台状部と円筒部との連結部内側の環状凸状段部３ｃ上にて、ホルダ作用部５の下部円筒状開口端を載置し固着している。
【００２５】
すなわち、本実施例においては、ホルダ作用部５はカバー３と同じく例えばＰＢＴ等の耐熱性合成樹脂により有蓋円筒状に形成され、その蓋部をなす円板状の基板部５ａの図中下面周縁部に、一端（図１では下端）側に突出する円筒状の円筒部５ｂを一体に連成し、この円筒部５ｂの図１中開口下端を、カバー本体３ａの凸状段部３ｃ上に載置し接着剤等により固着しているものである。
【００２６】
ホルダ作用部５は、基板部５ａ上に、発光管４の一対の電極封止端部４ａ，４ｂを載置させて支持固定する支持凹部と、これら電極封止端部４ａ，４ｂ同士の間隙内に突出して、その径方向のずれを規制する筒状突部５ｃを突設している。基板部５ａは、その筒状突部５ｃの外側にて、挿通孔５ｄ，５ｅをそれぞれ形成し、これら挿通孔５ｄ，５ｅには、発光管４の一対の電極封止端部４ａ，４ｂからその外方へ突出する細管４ｃと図２で示すアウタワイヤ４ｄ，４ｄをそれぞれ挿通させるようになっている。
【００２７】
グローブ６は、透明または光拡散性を有する透光性の合成樹脂材質により、白熱電球などの一般照明用電球のガラス球の形状に近い滑らかな曲面状に形成されている。すなわち、グローブ６は、ほぼ球状に形成された球状部６ａの図１中下端部に、この球状部６ａの直径よりも小径に漸次縮径されたほぼ円筒状の縮径部６ｂを一体に連成しており、また頂部に向かう球状部６ａの中間にはグローブ６の最大径を示す径大部６ｃが形成されている。
【００２８】
縮径部６ｂは、グローブ６の一端部（図１中下端部）に開口端部６ｄが形成され、この開口端部６ｄの縁部がカバー３の開口取付端部３ｂの内側に嵌合されて例えばシリコーン樹脂やエポキシ樹脂などの接着剤により接着固定されている。
【００２９】
ここで、グローブ６は、発光管４の中心軸Ｏと同軸のグローブ６の中心軸上で、図６中、左半部６Ｘ１と右半部６Ｘ２とに縦割りで分割している。
【００３０】
すなわち、このグローブ６が、例えば非分割の一体から形成されている場合には、発光管４の最大外径部４ｋの外径の方がグローブ６の開口端部６ｄよりも大きいので、この開口端部６ｄからグローブ６内に発光管４を挿入できない。
【００３１】
しかし、このグローブ６はその中心軸Ｏ上で左，右半部６Ｘ１，６Ｘ２の２つのグローブ片に分割されているので、発光管４をホルダ作用部５上にそれぞれ立設した後、この発光管４の外側を、その側方からグローブ６の左，右半部６Ｘ１，６Ｘ２によりそれぞれ被せ、これらグローブ片６Ｘ１，６Ｘ２を一体に突き合わせた状態でカバー３に取り付けることができる。
【００３２】
この後、これらグローブ片６Ｘ１，６Ｘ２の突き合わせ面を加熱溶着や超音波溶着、あるいは接着剤により強力かつ簡単に接合することができる。
【００３３】
なお、グローブ６は横方向（水平方向）に２分割してもよい。この場合は、図１中、破線で示すように発光管４の最大外径部４ｋの中心線Ｏａを水平分割線として図１中、上下方向に２つのグローブ片６Ｙ１，６Ｙ２としてもよい。これによれば、水平分割線が発光管４の最大外径部４ｋの中心線Ｏａであるので、上下一対のグローブ片６Ｙ１，６Ｙ２により発光管４の全体を包被することができる。
【００３４】
また、グローブ６の外全面には、例えば有機溶剤に可溶なアクリル系組成物の他、同様に有機溶剤に可溶で、水酸基価が５ｍｇＫＯＨ／ｇを超え、かつ水酸基価と酸価の合計が３０ｍｇＫＯＨ／ｇを超える水酸基含有含フッ素共重合体を含有したものや、さらにアクリル樹脂を混合した硬化型含フッ素系組成物などを、従来公知の方法、たとえば刷毛、ローラー、エアスプレー、エアレススプレーやディップ法など浸漬塗装等の膜形成方法により、塗布・乾燥させて光沢性かつ透光性の樹脂膜（図示せず）を被着させている。
【００３５】
ここで、樹脂膜の基材となる組成物を希釈する有機溶剤としては、環境に配慮して、ミネラルスピリット、テレピン油、石油ナフサ、石油エーテル、石油ベンジンという第三種有機溶剤などを用いることができ、また、必要に応じて、１，４−ジオキサン、トリクロルエチレン、クロロホルム、アニリン、ピリジン、ｎ−ペンタノール、アセトニトリル、メチルエチルケトン、アセトン、酢酸ブチル、酢酸メチル、ジメチルホルムアミド、ベンジルアルコール、エタノール、メタノール、１−ブタノール、ジエチレングリコール、エタノールアミン、エチレングリコール、ギ酸、水などを溶解性や環境への影響を配慮して併用してもよい。
【００３６】
なお、樹脂膜の光沢の度数は、ＪＩＳ  Ｋ−５６００の規定に基く試験方法により、６０度以上が好ましく、この光沢の度数を調整するためには、上述した樹脂組成物においては、アクリルの含有量を適宜選択することにより実現可能である。
【００３７】
また樹脂膜の乾燥後の膜厚は、１０〜２００μｍの範囲とすることが好ましく、また、その被着範囲は、カバー３とグローブ６の境界の隙間に重なる程度に形成することが好ましい。このようにすれば、樹脂膜により、グローブ６の不測の落下事故を大幅に軽減できる利点を兼ね備える。
【００３８】
発光管４は、その図１中上部の螺旋形部４ｅと、下部の直状部４ｆとを有し、これらを一体に連結している。
【００３９】
螺旋形部４ｅは、外径が例えば１０ｍｍの直状円管状のガラスバルブ４ｇをほぼ等分の２つ折りに折曲し、その等分位置の折返し部４ｈを頂端として図示しない金型に巻き付けて２重螺旋形にモールド成形することにより形成される。
【００４０】
ガラスバルブ４ｇは、その内面に、希土類等の蛍光体膜をほぼ全長に亘って形成し、軸方向両端部には、一対の電極４ｉ，４ｊをそれぞれ封装して電極封止端部４ａ，４ｂをそれぞれ形成している。
【００４１】
すなわち、図３に示すように螺旋形部４ｅは、ガラスバルブ４ｇの一方の電極封止端部、例えば４ａから旋回軸Ｏ回りに旋回しながら図１中上方の頂端部である折返し部４ｈに至る第１の旋回部Ａと、この折返し部４ｈの他端から旋回軸Ｏ回りに旋回しながら他方の電極封止端部、例えば４ｂに至る第２の旋回部Ｂとを有する２重螺旋形状を有し、例えばほぼ３周旋回（ターン数）している。
【００４２】
したがって、螺旋形部４ｅは螺旋ピッチが密の密ピッチ部に形成され、放電路長が長い長放電路部に形成されている。なお、螺旋形部４ｅの頂端部である折返し部４ｈは、そのバルブ直径を第１，第２の旋回部Ａ，Ｂの直径よりも大径の膨出部に形成し、この膨出部に最冷部を形成するように形成してもよい。
【００４３】
一対の電極４ｉ，４ｊは、例えばタングステン製のコイル電極が使用されており、例えばビーズガラスにより仮止めされた状態でガラスバルブ４ｇの両端部に封着されている。
【００４４】
ガラスバルブ４ｇ内には、アルゴンやクリプトンガス等の放電媒体が封入されており、一対の電極封止端部４ａ，４ｂの外面には、その内部に連通する細管４ｃが突設され、細管４ｃ内には水銀またはアマルガムが収容されている。
【００４５】
螺旋形部４ｅは、グローブ６の径大部６ｃを有する球状部６ａ内に収容され、その螺旋径を、グローブ６の球状部６ａの内面形状に対応して頂端の折返し部４ｈから径大部６ｃに向けて漸次拡径して行き、グローブ６の頂部に向かう中間に位置した径大部６ｃで螺旋径を最大とし、さらに、グローブ６の球状部６ａ下半部の縮径に対応して螺旋径を漸次縮径して行って直状部４ｆの図１中上端部に一体に連成されている。
【００４６】
直状部４ｆは螺旋形部４ｅの一対の螺旋終端部において、一対の電極封止端部４ａ，４ｂ側のガラスバルブ４ｇの図１中下部を、グローブ６の円筒状部６ｂの軸方向下方に向けてほぼ直角に折曲し、直状の一対の電極封止端部４ａ，４ｂをほぼ平行に並設してホルダ作用部５の支持用凹部内に挿入している。直状部４ｆのバルブ外径Ｃは７〜９ｍｍに形成され、螺旋形部４ｅのバルブ外径Ｄ（例えば８〜１０ｍｍ）よりも小径に形成されている。
【００４７】
なお、直状部４ｆは、ガラスバルブ４ｇを螺旋形部４ｅの旋回方向に合わせるように若干湾曲させて螺旋状に形成してもよい。
【００４８】
以上のように、発光管４は、頂部に向かう中間が径大に形成された透光性グローブ６の内面に沿いながら屈曲成形されているものであるが、上述のように螺旋状に屈曲されたものに限らず、例えばＵ字状のものが多数連なってグローブの内面に沿うように成形されたものであっても良い。
【００４９】
点灯装置７は、点灯回路パターンを形成した縦基板７ａをホルダ作用部５内面の一対の縦溝内に嵌入して固定している。すなわち、ホルダ作用部５は、その内面に、その直径方向で対向する一対の縦溝をホルダ作用部５の軸方向に形成し、この縦溝内に縦基板７ａの幅方向両側縁部を嵌入させて固定している。縦基板７ａは片面または両面基板に構成され、その実装面には、電解コンデンサ等のリード部品やトランジスタ等のチップ部品等の点灯回路部品である複数の電子部品７ｂ，７ｂ，…が実装されている。
【００５０】
このように構成された電球形蛍光ランプ１の具体的構成の一例は、次のとおりである。すなわち、発光管４の発光管最大外径（螺旋外径）φ２が５４ｍｍ、発光管４の高さｈ１が６４±１ｍｍ、発光管４の径大部４ｋの水平中心軸から一対の電極封止端部４ａ，４ｂの外面までの高さｈ２が３９．９３ｍｍである。一対の電極４ｉ，４ｊ同士間の放電路長は３６０〜６１０ｍｍであり、ガラスバルブ４ｇのバルブ径に応じて相違する。例えばガラスバルブ４ｇの径（バルブ径）が８ｍｍのとき、放電路長が４７６ｍｍ、バルブ径が９ｍｍのとき、放電路長が３７４ｍｍである。また、口金２の外径φ３が２６ｍｍであり、発光管最大外径φ２（３０．５ｍｍ）の約１．１７倍である。
【００５１】
したがって、この電球形蛍光ランプ１によれば、一般照明用電球に極めて近似した外観を得ることができる。
【００５２】
また、発光管４の螺旋形部４ｅは、グローブ６の径大部６ｃを含む比較的大容量の球状部６ａ内に収容されているので、バルブ径と螺旋径を共に大径化することができる。このために、螺旋形部４ｅの放電路長の延伸を図ることができるので、螺旋形部４ｅにおける光束の増大と発光効率の向上を共に図ることができる。
【００５３】
また、グローブ６の狭隘な縮径部６ｂ側内に収容された発光管４の直状部４ｆ，４ｆは、そのバルブ外径Ｃが螺旋形部４ｅのバルブ外径Ｄよりも細いので、グローブ縮径部６ｂ内での直状部４ｆ，４ｆ周りの間隙を増大させることができる。このために、螺旋形部４ｅと直状部４ｆ，４ｆからの発光が直状部４ｆ，４ｆ自体により遮光される遮光量を減少させることができる。これにより、発光効率を向上させることができる。
【００５４】
さらに、螺旋形部４ｅでは、バルブ径と螺旋径を共に大径化できるので、金型を使用したモールド成形によりガラスバルブ４ｇを螺旋形に成形する際の容易性を向上させることができ、さらに、その螺旋成形時のクラックや歪みを低減することができる。その結果、螺旋形部４ｅを有するガラスバルブ４ｇの量産性と歩留りを共に向上させることができる。
【００５５】
また、発光管４としての放電路長の多くを分担する螺旋形部４ｅのバルブ径が大径であるので、発光管４の始動電圧とランプ電圧を低下させることができる。このために、点灯装置７の出力電圧を高くする必要がなくなり、また使用部品の耐圧性を低くすることができるので、コスト低減を図ることができ、さらに、点灯装置７の大形化を防止または抑制することができる。
【００５６】
さらに、発光管４の螺旋形部４ｅはガラスバルブ４ｇを螺旋形に形成しているので、この螺旋形部４ｅの内側で発光した光は、その螺旋形のガラスバルブ４ｇ自体の内面に遮光され易く、この螺旋形部４ｅの外側に放射される光束は低下するが、直状部４ｆはグローブ６の縮径部６ｂ内で、その軸方向へほぼ平行に延在し、バルブ外径Ｃも細いので、直状部４ｆ，４ｆにより遮光される部分が少ない。このために、螺旋形部４ｅの内側および直状部４ｆの内側で発光した光がグローブ６の縮径部側（図１中下部側）から外部へ放射される光束を増大させることができる。
【００５７】
図４は本発明の第２の実施形態に係る照明装置１１の概略構成図である。この照明装置１１は、例えばダウンライト等の照明装置であり、照明器具本体１２を有する。この照明器具本体１２内にはソケット１３および反射体１４が取り付けられ、ソケット１３には上記電球形蛍光ランプ１の口金２がねじ込みにより装着される。
【００５８】
この照明装置１１によれば、電球形蛍光ランプ１の高光束、高発光効率の螺旋形部４ｅが図４中下方に向いているので、直下照度を向上させることができる。
【００５９】
また、電球形蛍光ランプ１の口金２側へ放射される光束を増大させる直状部４ｆが照明器具本体１２の反射体１４側に位置して対向しているので、この反射体１４により反射される反射光を増加させることができる。
【図面の簡単な説明】
【００６０】
【図１】本発明の第１の実施形態に係る電球形蛍光ランプの一部を縦断面で示す正面図。
【図２】図１で示す発光管の正面図。
【図３】図１で示す発光管の平面図。
【図４】本発明の第２の実施形態に係る照明装置の概略構成図。
【符号の説明】
【００６１】
１…電球形蛍光ランプ、２…口金、３…カバー、３ａ…カバー本体、３ｂ…カバーの開口取付端部、４…発光管、４ｇ…ガラスバルブ、４ａ，４ｂ…一対の電極封止端部、４ｈ…折返し部、４ｅ…発光管の螺旋形部、４ｆ…発光管の直状部、４ｋ…発光管の最大外径部、５…ホルダ作用部５ａ…ホルダの基板部、５ｃ…ホルダの筒状支持部、５ｄ，５ｅ…ホルダの取付孔、５ｆ，５ｇ…一対の取付溝、６…グローブ、６ａ…グローブの開口端部、６ｂ…グローブの縮径部、６Ｘ１…分割用グローブの左半部、６Ｘ２…分割用グローブの右半部、７…点灯装置、７ａ…点灯装置の縦基板、７ｂ…点灯装置の電子部品、１１…照明装置、１２…照明器具本体。
【図１】
2008091130.tif 000003
【図２】
2008091130.tif 000004
【図３】
2008091130.tif 000005
【図４】
2008091130.tif 000006